(57)【特許請求の範囲】
【請求項１】
一対の体外パドルをひと繋ぎで接続した接続コードの端部に取り付けられており、除細動器に設けられる相手コネクタに接続する除細動器用のコネクタであって、
前記接続コードの取り付け方向と直交する方向で前記相手コネクタに挿入して嵌合するコネクタ本体と、
前記コネクタ本体に配置され、且つ、前記コネクタ本体と前記相手コネクタとの嵌合により、前記相手コネクタの端子にそれぞれ接続する複数の端子と、
を有し、
前記コネクタ本体の外周側に、前記コネクタ本体を囲むように配置され、前記コネクタ本体の周りを周方向で回転して前記相手コネクタ側と係合することにより前記コネクタ本体と前記相手コネクタとの嵌合状態をロックする回転ロック体が設けられ、
前記複数の端子は、第１端子と、前記第１端子とは種類及び外径がそれぞれ異なる複数の第２端子とを含み、
前記コネクタ本体は、前記回転ロック体の内側で、前記相手コネクタへの挿入方向側の面で開口して設けられ、且つ、内部に前記挿入方向に延在して前記複数の第２端子が配置される凹状部を有し、
前記凹状部内には、前記複数の第２端子間を仕切る仕切壁部が設けられている、
コネクタ。
【請求項２】
前記仕切壁部における前記挿入方向側の端部は、前記第２端子よりも挿入方向側に位置し、且つ、前記凹状部の開口縁よりも奥側に位置する、
請求項１記載のコネクタ。
【請求項３】
前記第１端子は、除細動パルスを伝送する端子であり、前記第２端子は、前記除細動パルスとは異なる信号を伝送する端子である、
請求項１または２記載のコネクタ。
【請求項４】
前記凹状部は、台形状の凹状部であり、
前記コネクタ本体は、前記挿入方向側の面で開口し、且つ、開口形状が前記凹状部と異なる円形状の他の凹状部を有し、
前記第１端子は、円形状の前記他の凹状部内に、前記挿入方向に延在して配置されている、  
請求項１から３のいずれか一項に記載のコネクタ。
【請求項５】
前記第１端子における前記挿入方向側の端部は、前記第２端子における前記挿入方向側の端部よりも前記挿入方向側に位置する、
請求項１から４のいずれか一項に記載のコネクタ。
【請求項６】
請求項１から５のいずれか一項に記載のコネクタと、
前記除細動器に設けられ、前記コネクタが挿入されて嵌合するソケットコネクタと、
を有し、
前記ソケットコネクタは、凹状に形成された挿入凹部に前記コネクタ本体が挿入されるソケット本体を有し、
前記ソケット本体は、
前記挿入凹部内に配置され、前記コネクタの前記第１端子及び複数の第２端子にそれぞれ対応するソケット側第１端子及びソケット側第２端子と、
前記挿入凹部内で、ソケット側端子及びソケット側第端子を囲むように配置され、前記コネクタの凹状部内で前記仕切壁部により仕切られる空間に挿入する被覆壁部と、
を備える、
コネクタ装置。
【発明の詳細な説明】
【技術分野】
【０００１】
本発明は、コネクタに関する。
【背景技術】
【０００２】
例えば、心臓が心室細動を起こし全身へ血液を送れなくなってしまった患者に対して、心臓の動きを正常に戻すために、電気ショックを与えて心臓の細動の除去を試みる体外式除細動器が知られている。
【０００３】
体外式除細動器は、例えば、特許文献１に示すように、体外パドル又は貼り付け電極と、体表に当てた体外パドル又は体表に貼り付けた貼り付け電極を介して患者に電気ショックを与える除細動器本体とを有する。
体外パドルからケーブルが導出され、このケーブルの端部にはコネクタが設けられている。このコネクタを除細動器本体に差し込むことで、体外パドルは、除細動器本体に電気的に接続される。
【０００４】
除細動器本体は、体外パドルでの操作により、体外パドルを介して患者に電気ショックを与えて、除細動処理を行う。なお、除細動器本体は、体外パドルを通じて患者の心臓の状態に関わる情報（心電図ＥＣＧ：Electrocardiogram）を取得できる。
【０００５】
このため、除細動器本体と体外パドルとを接続する体外パドル接続用のコネクタは、電気ショックを供給するために高電圧がかかる高電圧ピンと、電気ショックのための制御信号やＥＣＧ等を伝送する複数の信号ピンというように、電圧レベルの異なる信号を伝送する複数のピンを有する。これらのピンは、コネクタを除細動器本体に差し込む（詳細には除細動器本体側のソケットへの差し込み）と、除細動器本体側で、コネクタ側の各ピンのそれぞれ対応する端子であるソケット端子に接続される。高圧ピンと信号ピン等の複数のピンは、コネクタの接続相手であるソケットの凹状のソケット本体に挿入して接続されるコネクタ本体において、挿入方向側の端面で開口して設けられた凹状部内に並べて配設されている。
【先行技術文献】
【特許文献】
【０００６】
【特許文献１】特開２００７−２２２６５９号公報
【発明の概要】
【発明が解決しようとする課題】
【０００７】
しかしながら、従来の体外パドル接続用のコネクタでは、複数の信号ピン（端子）は、一つの凹状部内に纏めて配設されているので、この凹部内の信号ピン同士の間に、指やゴミ等の異物が入りやすくなる。これにより、信号ピンが曲がって、他の信号ピンに接触したり、信号ピン間に異物が残存したりするという問題がある。
【０００８】
また、コネクタの凹状部内で複数の信号ピンが配置されているため、このコネクタをソケットに挿入する際に、対応するソケット端子の位置がずれると、コネクタ側の信号ピン間に、ソケット側のソケット端子が入り込み、信号ピンを損傷する恐れがある。
【０００９】
本発明はかかる点に鑑みてなされたものであり、接続する複数の端子を有する構成において、端子間に異物が入り込むことないとともに、好適に相手コネクタに接続できるコネクタを提供することを目的とする。
【課題を解決するための手段】
【００１０】
本発明のコネクタの一つの態様は、
一対の体外パドルをひと繋ぎで接続した接続コードの端部に取り付けられており、除細動器に設けられる相手コネクタに接続する除細動器用のコネクタであって、
前記接続コードの取り付け方向と直交する方向で前記相手コネクタに挿入して嵌合するコネクタ本体と、
前記コネクタ本体に配置され、且つ、前記コネクタ本体と前記相手コネクタとの嵌合により、前記相手コネクタの端子にそれぞれ接続する複数の端子と、
を有し、
前記コネクタ本体の外周側に、前記コネクタ本体を囲むように配置され、前記コネクタ本体の周りを周方向で回転して前記相手コネクタ側と係合することにより前記コネクタ本体と前記相手コネクタとの嵌合状態をロックする回転ロック体が設けられ、
前記複数の端子は、第１端子と、前記第１端子とは種類及び外径がそれぞれ異なる複数の第２端子とを含み、
前記コネクタ本体は、前記回転ロック体の内側で、前記相手コネクタへの挿入方向側の面で開口して設けられ、且つ、内部に前記挿入方向に延在して前記複数の第２端子が配置される凹状部を有し、
前記凹状部内には、前記複数の第２端子間を仕切る仕切壁部が設けられている、構成を採る。
【００１１】
本発明のコネクタ装置の一つの態様は、
上記構成のコネクタと、
前記除細動器に設けられ、前記コネクタが挿入されて嵌合するソケットコネクタと、
を有し、
前記ソケットコネクタは、凹状に形成された挿入凹部に前記コネクタ本体が挿入されるソケット本体を有し、
前記ソケット本体は、
前記挿入凹部内に配置され、前記コネクタの前記第１端子及び複数の第２端子にそれぞれ対応するソケット側第１端子及びソケット側第２端子と、
前記挿入凹部内で、ソケット側端子及びソケット側第端子を囲むように配置され、前記コネクタの凹状部内で前記仕切壁部により仕切られる空間に挿入する被覆壁部と、を備える構成を採る。
【発明の効果】
【００１２】
本発明によれば、接続する複数の端子を有する構成において、端子間に異物が入り込むことないとともに、好適に相手コネクタに接続できる。
【図面の簡単な説明】
【００１３】
【図１】本発明に係る一実施の形態のコネクタを適用した体外式除細動器の正面図
【図２】本発明に係る一実施の形態のコネクタを適用した体外式除細動器の右側面図
【図３】図２に示すパドルコネクタを相手コネクタから外した状態を示すコネクタ装置の側面図
【図４】図３に示すコネクタ装置をパドルコネクタの背面側から見た図
【図５】図４のＡ―Ａ線矢視断面図
【図６】本発明に係る一実施の形態のコネクタを適用したパドルコネクタの正面図
【図７】パドルコネクタに接続する相手コネクタの正面図
【図８】コネクタにおける仕切壁部と各端子の挿入方向の位置関係を示す部分断面図
【発明を実施するための形態】
【００１４】
以下、本発明の実施の形態について、図面を参照して詳細に説明する。
【００１５】
図１は、本発明に係る一実施の形態のコネクタを適用可能な体外式除細動器の正面図であり、図２は同右側面図である。
【００１６】
図１及び図２に示す体外式除細動器１０は、体外式除細動器本体（以下、「除細動器本体」という）２０、一対の体外パドル（パドル）３０、４０、及びパドル３０、４０に接続された接続コード５０を除細動器本体２０に接続するコネクタ装置６０を有する。
【００１７】
パドル３０、４０は、図１及び図２に示すように、電極部（図２では電極部３１のみ図示）及びハンドル部３２、４２を有する。電極部３１は、下面が、患者の体表に接触させるための接触面（図示省略）を有するように形成されている。ハンドル部３２、４２は、電極部３１（図２では電極部３１のみ図示）と一体化されており、電極部３１から接触面の反対側の面である上面から突出するように設けられている。ハンドル部３２、４２には、図示しないが、充電スイッチと、通電スイッチとが設けられている。
【００１８】
充電スイッチは、除細動処置者に押下されることにより、制御部に充電指示を示す信号を出力する。この信号を受けて制御部は、除細動パルス出力回路部に対して、電気エネルギ供給部から電気エネルギを充電するよう制御する。また、通電スイッチは、除細動処置者に押下されることにより、コネクタ装置６０を介して、制御部に通電開始の信号を出力する。これにより、制御部は、除細動パルス出力回路部に通電を開始させて、パドル３０、４０に除細動パルスを出力する。
【００１９】
また、ハンドル部３２、４２は、除細動処置者の持ちやすさを考慮してＬ字状に形成されており、その各先端部には接続コード５０が延出されている。接続コード５０は、ここでは、形状がらせん状にカールしたカールコードであり、収縮自在なコードである。この接続コード５０の端部にはパドルコネクタ（コネクタ）１００が取り付けられている。このコネクタ１００は、除細動器本体２０（詳細には相手コネクタであるソケット）に差し込むことによって、パドル３０、４０を除細動器本体２０に接続している。なお、コネクタ１００についての詳細な説明は、コネクタ装置６０についての説明とともに後述する。
【００２０】
図１及び図２に示すパドル３０、４０は、除細動器本体２０の上面に設けられたパドル台２３に着脱自在に収容されており、使用時には、ハンドル部３２、４２を掴み、パドル台２３から引き抜いて使用できる。
【００２１】
体外式除細動器本体２０は、除細動器本体２０の内部で充電したエネルギを高電圧（高圧）の除細動パルスとして、体外パドルから患者体内へ放電し、患者の心筋に電気ショックを付与する。
【００２２】
除細動器本体２０は、表示部２５と、内部に、図示しない制御部、電気エネルギ供給部、除細動パルス出力回路部、生体情報取得部を含む内部回路と、を有する。
【００２３】
電気エネルギ供給部は、交流電源或いはバッテリを有し、交流電源或いはバッテリからの電源供給（電気エネルギの供給）を、除細動器本体内各部に対して行う。
【００２４】
制御部は、ＣＰＵ（Central Processing Unit）等の演算処理装置であり、体外式除細動器内各部の動作制御を行う。例えば、制御部は、除細動処理者が操作部、或いは、パドル３０、４０の通電スイッチ、充電スイッチを操作することにより、除細動パルス出力回路部を制御して、電気エネルギ供給部から供給される電気エネルギを用いて、電気ショックとなる除細動パルスを生成して出力させる。
【００２５】
なお、操作部は、除細動器本体２０に設けられる充電スイッチと、体外パドル３０、４０のハンドル部３２、４２に装備される通電スイッチ等とを有する。充電スイッチは、パドル３０、４０の充電スイッチと同様の作用効果を有し、除細動処置者に押下されることにより、制御部に充電指示を示す信号を出力する。この信号を受けて制御部は、電気エネルギ供給部からの電気エネルギを除細動パルス出力回路部に充電するよう指示する。また、通電スイッチは、パドル３０、４０の通電スイッチと同様の作用効果を有し、除細動処置者に押下されることにより、コネクタ装置６０を介して、制御部に通電開始の信号を出力する。この信号を受けて、制御部は、除細動パルス出力回路部に通電開始を行わせる。
【００２６】
また、制御部は、体外パドル３０、４０のパドル誘導で入力される患者の生体情報（心電図ＥＣＧ等）、つまり、計測信号を、コネクタ装置６０を介して取得して、表示部２５に表示する処理等を行う。表示部２５は、制御部の制御により、パドル３０、４０、コネクタ装置６０を介して入力される患者の心電図（計測信号）等を表示する。
【００２７】
除細動パルス出力回路部は、充電スイッチが押下されたときには、制御部の制御により、電源電圧（電気エネルギ）を高圧トランス（図示せず）で昇圧することにより高電圧を生成し、この高電圧で高圧コンデンサ（図示せず）を充電することにより、充電エネルギを得る。この充電エネルギは、除細動パルスの出力エネルギとなるものであり、そのレベルは、例えば、操作部に出力エネルギ設定ツマミ部を設け、このツマミ部の操作により手動で設定可能とする。また、除細動パルス出力回路部は、通電スイッチが押下されたときには、充電エネルギから高圧の除細動パルスを生成し、この除細動パルスを、コネクタ装置６０を介して体外パドル３０、４０の電極部（図では電極部３１のみ図示）に出力する。
【００２８】
除細動器本体２０の内部回路は、通電スイッチ及び電極部（図１では電極部３１のみ図示）等を有する体外パドル３０、４０の内部回路に、コネクタ装置６０を介して接続されている。このようにコネクタ装置６０は、接続コード５０を介してパドル３０、４０を除細動器本体２０に連結させるだけでなく、除細動器本体２０の内部回路とパドル３０、４０の内部回路とを接続する。
【００２９】
＜コネクタ装置６０の構成＞
図３は、図１及び３に示すコネクタを相手コネクタから外した状態を示すコネクタ装置の側面図であり、図４は、図３に示すコネクタ装置をコネクタの背面側から見た図である。また、図５は、図４に示すコネクタ装置のＡ―Ａ線断面図である。なお、図４及び図５では、回転ロック体の位置は、ロック解除位置に位置している。また、図６は、本発明に係る一実施の形態のコネクタを適用したパドルコネクタの正面図であり、パドルコネクタを挿入方向側から見た図である。また、図７は、パドルコネクタに接続する相手コネクタの正面図である。
【００３０】
図３及び図４に示すように、コネクタ装置６０は、除細動器本体２０に取り付けられたソケット（相手コネクタ）７０と、ソケット７０に対して着脱自在なパドルコネクタ１００とを有する。
【００３１】
パドルコネクタ１００は、パドル３０、４０に接続された接続コード５０の端部に設けられ、ソケット本体７２に挿入して、ソケット本体７２と嵌合する。
【００３２】
図３〜図６に示すように、パドルコネクタ１００は、ソケット本体７２の挿入凹部７３に挿入して嵌合するコネクタ本体１１０と、コネクタ本体１１０内に配設された第１端子１３０及び第２端子１４０を含む複数のパドルコネクタ側の接続端子と、回転ロック体１５０とを有する。
【００３３】
コネクタ本体１１０は、柱状、ここでは円柱状に形成されたインシュレータであり、一端部側の部分（正面側の部分であり挿入方向側の部分）がソケット本体７２の挿入凹部７３内に挿入される挿入本体部であり、他端部側の部分（挿入方向とは逆側の部分であり基端部ともいう）で接続コード５０に接続されている。
【００３４】
コネクタ本体１１０（詳細には挿入本体部）の外周には、筒状の回転ロック体１５０がロック位置から周方向の一方（ロック解除可能位置）に回転自在に装着されている。
【００３５】
回転ロック体１５０は、コネクタ１００をソケット７０に挿入して嵌合した際に、その嵌合状態でロックし保持する。なお、回転ロック体１５０は、コネクタ本体１１０に対して、挿入方向とは逆側の端部である基端部側に設けられた凸部１５３（図８参照）をコネクタ本体１１０の外周に周方向に形成された溝１１８に遊嵌させ、この凸部１５３を介して、挿入方向側ではコネクタ本体１１０の外周面と離間するように取り付けられている。
【００３６】
回転ロック体１５０は、コネクタ本体１１０の外周方向の他方に図示しない付勢部材でロック位置側に付勢されている。この回転ロック体１５０の挿入方向側の端部には、内側に突出する爪部１５１が設けられている。この爪部１５１は、コネクタ本体１１０がソケット本体７２の挿入凹部７３内に挿入する際に、ソケット本体７２のキー溝部７７（図３、図７参照）に遊嵌する。爪部１５１は、コネクタ本体１１０に対して、ロック位置に位置し、周方向の一方に回動自在であるが、ロック位置側に付勢部材により付勢された状態となっている。
【００３７】
図５及び図６に示すように、コネクタ本体１１０の挿入方向側の端面には、挿入方向側に開口する第１凹状部１１２、第２凹状部１１４が形成されている。
【００３８】
第１凹状部１１２及び第２凹状部１１４のそれぞれの内部には、種類の異なる第１端子１３０、第２端子１４０が挿入方向に延在して配置されている。ここで、種類の異なる端子とは、第１端子１３０と第２端子１４０で形状の異なる端子であってもよいし、第１端子１３０と第２端子１４０で種類の異なる信号を伝送する端子であってもよい。ここでは、第１端子１３０と第２端子１４０を、電圧レベルの異なる信号を伝送する端子として説明する。
【００３９】
第１凹状部１１２内には、第１端子１３０が、底面部から突出して設けられ、第１端子１３０は、挿入方向に延在して配置された状態となっている。本実施の形態では、２つの第１凹状部１１２を設け、その第１凹状部１１２のそれぞれに第１端子１３０を１本ずつ配置している。
【００４０】
第２凹状部１１４内には、複数の第２端子１４０が、底面部から突出して設けられ、複数の第２端子１４０は、挿入方向に延在して配置された状態となっている。
【００４１】
第１凹状部１１２と第２凹状部１１４は、コネクタ本体１１０の向きを誤ってソケット本体７２の挿入凹部７３に挿入する場合、挿入できないように、異なる開口形状で形成されている。
【００４２】
本実施の形態では、第１凹状部１１２は、円形の開口形状を有し、コネクタ本体１１０の挿入側の円形の端面の半分の半円状の領域内に２つ形成されている。
【００４３】
また、第２凹状部１１４は、コネクタ本体１１０の挿入側の円形の端面の残り半分の半円状の領域内に形成され、台形状の開口形状を有する。
【００４４】
第１端子１３０及び第２端子１４０は、導電性を有する棒状体である。第１端子１３０及び第２端子１４０は、コネクタ本体１１０を挿入凹部７３内に挿入して嵌合した際に、ソケット側の端子（ソケット側第１端子及び第２端子７４、７５）に対して、ソケット側の端子の延在方向で接続可能に形成されている。ここでは第１端子１３０及び第２端子１４０は、外径の異なるピン形状の端子である。
【００４５】
第１端子１３０及び第２端子１４０は、接続コード５０を介してパドル３０、４０（図１及び図２参照）の電極部の接触面に接続されている。第１端子１３０は、電気ショックである高圧の除細動パルスを伝送する高圧ピンであり、第２端子１４０よりも太い。
【００４６】
また、第２端子１４０は、除細動パルスとは異なる信号を伝送する端子であり、第１端子１３０で伝送する信号とは電圧レベルが異なる信号を伝送する。具体的には、複数の第２端子１４０は、それぞれ通電スイッチからの通電開始の操作（制御信号）、充電スイッチからの充電開始の操作（制御信号）等の制御系の信号、及び、生体情報（心電図）を示す信号等を伝送する信号ピンである。このように、本実施の形態では、第１端子１３０は、電気ショックのための、除細動パルスを伝送する端子であるのに対し、複数の第２端子１４０は、除細動パルス以外の信号、ここでは、電気ショックのための充電操作、通電操作（電気ショック付与操作）等の制御系の信号、心電図等の測定した生体情報を示す信号（計測信号）を伝送する端子としている。
【００４７】
第２端子１４０は、第２凹状部内で複数の列をなすように配置されている。ここでは、第２端子１４０は、台形状の凹状部１１４内に、台形の上底及び下底に沿う列で、且つ、各列で複数本並べて配置されている。
【００４８】
第２端子１４０が配置される第２凹状部１１４内には、複数の第２端子１４０間を仕切る仕切壁部１２０が配設されている。仕切壁部１２０は、複数の第２端子１４０において複数で並ぶ第２端子１４０の各列を、ここでは水平方向で仕切っている。
【００４９】
図８は、パドルコネクタにおける仕切壁部と各端子の挿入方向の位置関係を示す部分断面図である。
【００５０】
図８に示すように仕切壁部１２０における挿入方向側の端部１２１は、第２端子１４０における挿入方向側の端部１４２（ラインＬ３で示す位置）よりも挿入方向側（先端側）に位置（ラインＬ２で示す位置）する。また、仕切壁部１２０の端部１２１は、凹状部１１４の開口縁（ラインＬ１で示す位置）よりも奥側に位置、つまり、凹状部１１４の開口縁（コネクタ本体１１０の挿入方向側の面）から離れて位置する。
【００５１】
さらに、第２端子１４０の端部１４２は、第１端子１３０における挿入方向側の端部１３２（ラインＬ２で示す位置）よりも奥側に位置（ラインＬ３で示す）、つまり、凹状部１１４の開口縁から離れて位置する。
【００５２】
これにより、コネクタ本体１１０をソケット本体７２の挿入凹部７３内に挿入して双方の端子を接続する際に、まず、最も挿入方向側に端部１３２が位置する第１端子１３０が、接続され、次いで、第２端子１４０が接続可能となる。なお、ここでは、仕切壁部１２０における挿入方向側の端部１２１は、凹状部１１４、１１２の開口縁から奥側へと向かう位置が、第１端子１３０における挿入方向側の端子１３２と同じ位置（ラインＬ２で示す位置）となっている。
【００５３】
ソケット７０は、図３及び図５に示すように、取付板部７１と、取付板部７１の一面に突設され、且つ、パドルコネクタ１００と嵌合するソケット本体７２と、ソケット本体７２内に設けられるソケット側第１端子７４及び複数のソケット側第２端子７５（図７参照）とを有する。
【００５４】
ソケット７０は、ソケット本体７２を、除細動器本体２０（図１及び図２参照）の筐体の側面部２１に形成された開口２２に挿通して、取付板部７１の一面を側面部２１の内側に固定している。これにより、ソケット７０は、ソケット本体７２を側面部２１の外部に突出させた状態で、除細動器本体２０に取り付けられている。
【００５５】
ソケット本体７２は、インシュレータであり、図５及び図７に示すように、一端面側（正面側）に開口した挿入凹部７３を備える柱状、ここでは円柱状に形成されている。
【００５６】
ソケット本体７２の外周には、パドルコネクタ側の回転ロック体１５０の爪部１５１が遊嵌するキー溝部７７が形成されている。キー溝部７７は、開口側から挿入方向でスプライン状に湾曲し、ソケット本体７２の奥側（挿入方向側）で周方向に折曲している。これにより、キー溝部７７は、挿入凹部７３内へのパドルコネクタ１００のコネクタ本体１１０の挿入に伴い、回転ロック体１５０の爪部１５１を、折曲部分（ロック位置に相当）に案内して、引き抜き方向（挿入方向とは逆方向）への移動を規制する。
【００５７】
挿入凹部７３内には、パドルコネクタ１００のコネクタ本体１１０が挿入して嵌合する。なお、ソケット本体７２は、絶縁性を有する材料、例えば樹脂により取付板部７１に一体に形成されている。
【００５８】
挿入凹部７３の底面には、正面側に向かってソケット側第１端子７４及びソケット側第２端子７５が、端子被覆壁部７２２、７２４に囲まれた状態で、且つ互いに離間した位置で突設されている。ソケット側第１端子７４及びソケット側第２端子７５は、パドルコネクタ１００の第１端子１３０及び第２端子１４０の配置位置に対応して配置されている。
【００５９】
また、端子被覆壁部７２２は、第１凹状部１１２に対応して形成され、コネクタ本体１１０が挿入凹部７３内に挿入する際に、第１凹状部１１２内に挿入する。このとき、ソケット側第１端子７４は、第１端子１３０に嵌合して接続する。
【００６０】
また、端子被覆壁部７２４は、仕切壁部１２０により仕切られる第２凹状部１１４に対応して形成され、コネクタ本体１１０が挿入凹部７３内に挿入する際に、仕切壁部１２０間に挿入する。このとき、ソケット側第２端子７５は、対応する第２端子１４０にそれぞれ嵌合して接続する。
【００６１】
つまり、端子被覆壁部７２２で被覆されたソケット側第１端子７４と、端子被覆壁部７２４で被覆されたソケット側第２端子７５の配置位置は、パドルコネクタ１００の第１端子１３０及び第１凹状部１１２と、第２端子１４０及び第２凹状部１１４の配置位置に対応した位置である。
【００６２】
開口形状が円形である挿入凹部７３の半分の半円状の領域に、端子被覆壁部７２２で被覆されたソケット側第１端子７４が２つ配置され、コネクタ本体１１０における第１凹状部１１２内の第１端子１３０に対応している。残り半分の半円状の領域に端子被覆壁部７２４で被覆された複数のソケット側第２端子７５が、第２凹状部１１４内の第２端子１４０の形成位置に対応して配置されている。
【００６３】
ソケット側第１端子７４及びソケット側第２端子７５は、挿入方向に移動するパドルコネクタ側の第１端子１３０及び第２端子１４０と接続可能に形成されている。ここではソケット側第１端子７４及びソケット側第２端子７５は、開口側の端部が管状に形成された管状接点部を備える棒状のソケット端子である。
【００６４】
ソケット側第１端子７４及びソケット側第２端子７５は、除細動器本体２０の内部回路に接続されている。ここでは、ソケット側第１端子７４は、電気ショックとなる高電圧の除細動パルスを伝送する端子であり、除細動パルス出力回路部に接続されている。
【００６５】
これらソケット側第１端子７４及びソケット側第２端子７５は、対応する第１端子１３０及び第２端子１４０で伝送する信号を伝送する。すなわち、ソケット側第２端子７５は、除細動パルスとは異なる信号を伝送する端子であり、ソケット側第１端子７４で伝送する信号とは電圧レベルが異なる信号を伝送する。ここでは、複数のソケット側第２端子７５は、除細動パルスとは異なる信号を伝送し、それぞれ通電スイッチからの通電開始の制御信号、充電スイッチからの充電開始の制御信号等の制御系の信号及び生体情報（心電図）等の計測信号等を伝送する端子であり、制御部に接続されている。
【００６６】
＜パドルコネクタ１００とソケット７０の接続動作＞
ソケット７０とパドルコネクタ１００とを接続する際には、コネクタ本体１１０の正面側の端部（挿入方向側の端部）をソケット本体７２の挿入凹部７３の開口縁に合わせて、挿入凹部７３内に挿入する。その際、回転ロック体１５０の爪部１５１をキー溝部７７内に挿入させる。
【００６７】
また、コネクタ本体１１０を挿入凹部７３内に挿入すると、第１凹状部１１２内に端子被覆壁部７２２が挿入し、第２凹状部１１４内に端子被覆壁部７２４が挿入する。
【００６８】
そして、第１端子１３０がソケット側第１端子７４に接続した後で、第２端子１４０がソケット側第２端子７５に接続する。
【００６９】
この挿入凹部７３内へのコネクタ本体１１０の挿入に伴い、回転ロック体１５０の爪部１５１は、キー溝部７７内に侵入する。さらに、コネクタ本体１１０が挿入凹部７３の奥側に挿入されていくと、回転ロック体１５０の爪部１５１はキー溝部７７に案内されて、図示しない付勢部材の付勢力に抗して周方向の一方向（キー溝部７７により案内されるスプライン方向）に移動する。
【００７０】
次いで、第１端子１３０及び第２端子１４０がソケット側第１端子７４及びソケット側第２端子７５に接続する位置まで移動する。この移動に伴い、コネクタ本体１１０の外周側に位置する爪部１５１は、キー溝部７７において、スプライン状の部分を移動した後、周方向に折曲した位置に位置する。すると、爪部１５１に対して、キー溝部７７のスプライン状の部分による案内が解除され、爪部１５１は付勢力により、周方向に沿った折曲部分内を移動してロック位置まで戻る。この状態では爪部１５１は、折曲部分によって、引き抜き方向（挿入方向とは逆方向）への移動が規制される。これにより、コネクタ本体１１０は、回転ロック体１５０を介してソケット本体７２から抜けないようにソケット本体７２に係合し、パドルコネクタ１００はソケット７０に固定される。
【００７１】
ソケット７０とパドルコネクタ１００の接続により、除細動器本体２０側から体外パドル３０、４０側への高電圧な除細動パルス（高圧信号）、制御信号の伝送、取得した心電図を示す信号の伝送等が可能となる。すなわち、これらソケット７０とパドルコネクタ１００は互いを接続することにより、それぞれ除細動パルス用の経路と、制御及び心電図用の経路とが確立される。なお、パドルコネクタ１００をソケット７０から取り外す際には、回転ロック体１５０を付勢力に抗して回転して、爪部１５１を、折曲部分からスプライン部分に挿入可能な位置（ロック解除可能位置）に移動する。そして、パドルコネクタ１００をソケットから挿入方向とは逆方向に引き抜くことで、パドルコネクタ１００を、除細動器本体２０から外すことができる。
【００７２】
コネクタ装置６０では、パドルコネクタ１００は、ソケット７０に挿入して嵌合するコネクタ本体１１０と、第１端子１３０と、複数の第２端子１４０とを有する。第１端子１３０、第２端子１４０は、コネクタ本体１１０とソケット７０との嵌合により、ソケット７０のソケット側第１端子７４、ソケット側第２端子７５にそれぞれ接続する。第２端子１４０は、第１端子１３０が伝送する信号とは種類の異なる信号を伝送する。
【００７３】
コネクタ本体１１０は、ソケット７０への挿入方向側の面で開口して設けられ、且つ、内部に前記挿入方向に延在して前記複数の第２端子１４０が配置される第２凹状部１１４を有し、第２凹状部１１４内には、複数の第２端子１４０間を仕切る仕切壁部１２０が設けられている。この仕切壁部１２０により、第２凹状部１１４内に複数の第２端子１４０が配置されていても、第２端子１４０間にゴミや指等の異物が入り込むことがない。また、ソケット７０に接続する際に、ソケット７０側の端子（ソケット側第１端子７４、ソケット側第２端子７５）が誤って第２端子１４０間に侵入しようとする場合でも、仕切壁部１２０により、その侵入を防止して、第２端子１４０の損傷を防ぐことができる。
【００７４】
また、パドルコネクタ１００において、第１端子１３０における挿入方向側の端部１３２は、複数の第２端子１４０における挿入方向側の端部１４２よりも挿入方向側に位置する。つまり、複数の第２端子１４０における挿入方向側の端部１４２は、第１端子１３０における挿入方向側の端部１３２よりも奥側に位置する。
【００７５】
一方、ソケット７０のソケット側第１端子７４、ソケット側第２端子７５は、挿入凹部７３の開口縁から略同じ深さとなる位置に配置されている。
【００７６】
これにより、パドルコネクタ１００側の第１端子１３０及び複数の第２端子１４０端子は、種類別に順番で、それぞれ相手側の端子（ソケット側第１端子７４、ソケット側第２端子７５）に挿入して接続される。
【００７７】
この構成では、必然的に挿入深さは第１端子１３０が深く、奥に配置された第２端子１４０は浅くなるので、第２端子１４０の導通が認識されない場合は、第１端子１３０も規定の深さまで挿し込まれていないことが判別できる。これにより、除細動器本体２０側で、ソケット７０に対しパドルコネクタ１００がどの段階の深さまで挿しこまれているのかを認識できる。
【００７８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００７９】
以上、本発明の実施の形態について説明した。なお、以上の説明は本発明の好適な実施の形態の例証であり、本発明の範囲はこれに限定されない。つまり、上記装置の構成や各部分の形状についての説明は一例であり、本発明の範囲においてこれらの例に対する様々な変更や追加が可能であることは明らかである。
【産業上の利用可能性】
【００８０】
本発明に係るコネクタは、接続する複数の端子を有していても、端子間に異物が入り込むことないとともに、好適に相手コネクタに接続できる効果を有し、除細動器とパドルとを接続するパドルコネクタとして有用である。
【符号の説明】
【００８１】
１０  体外式除細動器
２０  除細動器本体
２３  パドル台
２５  表示部
３１  電極部
５０  接続コード
６０  コネクタ装置
７０  ソケット
７１  取付板部
７２  ソケット本体
７３  挿入凹部
７４  ソケット側第１端子
７５  ソケット側第２端子
７７  キー溝部
１００  パドルコネクタ
１１０  コネクタ本体
１１２  第１凹状部
１１４  第２凹状部
１２０  仕切壁部
１２１  挿入方向側の端部
１３０  第１端子
１３２、１４２  端部
１４０  第２端子
１５０  回転ロック体
１５１  爪部
７２２、７２４  被覆壁部
【図１】
0006747767.tif 000002
【図２】
0006747767.tif 000003
【図３】
0006747767.tif 000004
【図４】
0006747767.tif 000005
【図５】
0006747767.tif 000006
【図６】
0006747767.tif 000007
【図７】
0006747767.tif 000008
【図８】
0006747767.tif 000009